(57)【要約】  【課題】  カップ部分の形崩れ、レースや布などの生地の損傷及びワイヤーの変形やねじれを引き起こすことなく、ブラジャーを洗濯できるケースを提供する。  【解決手段】  ホルダー(20)を２つのカップ受け部(21)、連結部(22)及びフック部(24)から構成する。カップ受け部が側方から押付けられたときに連結部を弾性変形させ、２つのカップ受け部のフランジ部分が相互に当接しかつ２つのカップ受け部の間に上方になるほど大きくなる隙間が形成されるように２つのカップ受け部を折り重ねる。これにより、ブラジャー(40)のカップ部分(41)を人間の胸部の立体的外形状を2 つに折り重ねた状態に類似した立体的形状となるので、フック部によってその状態を位置決めし、軟質ネット袋(30)に入れてブラジャーのカップ部分を弾性挟持し、カップ部分及びその下部周縁のワイヤーの立体的形状を保持する。【選択図】  図７
0003133186.tif 000002
【実用新案登録請求の範囲】
【請求項１】
ブラジャーを洗濯する際にその形状を保持し得るようにしたブラジャー用洗濯ケースにおいて、
ホルダーと軟質ネット袋とから構成され、
上記ホルダーは、
軟質でかつ弾性復元性を有する椀状をなし、該椀状部分には穴又はスリットが形成されて通気性・通水性が付与され、上記椀状部分の下部周縁にフランジ部分が形成され、上記椀状部分にブラジャーのカップ部分が被せられるとともに上記フランジ部分でカップ部分の下部周縁が受けられる一方、椀状部分の内側にブラジャーの肩紐及びアンダーベルトが収納され得る２つのカップ受け部と、
該２つのカップ受け部の間を連結し、側方からの押付け力によって弾性変形することにより上記２つのカップ受け部のフランジ部分が相互に当接されるとともに上記２つのカップ受け部の間に上方になるほど大きくなる隙間が形成されるように上記２つのカップ受け部を相互に折り重ねる連結部と、
上記連結部に形成され、上記ブラジャーが引っ掛けられることにより上記ブラジャーのカップ部分を上記カップ受け部に対して位置決めするフック部とから構成される一方、
上記軟質ネット袋は、
洗濯可能な材料で製作されたネット状をなし、上記２つのカップ受け部が相互に折り重ねられた上記ホルダーを収納し、上記カップ受け部の椀状部分の弾性復元力によって該椀状部分との間でブラジャーのカップ部分を弾性挟持することにより上記ブラジャーのカップ部分及びその下部周縁のワイヤーの立体的形状を保持するようになっていることを特徴とするブラジャー用洗濯ケース。
【請求項２】
上記軟質ネット袋は上記カップ受け部を折り重ねたときの上記ホルダーの立体的形状に類似した立体的形状をなし、ファスナーによって開閉可能となっている請求項１記載のブラジャー用洗濯ケース。
【考案の詳細な説明】
【技術分野】
【０００１】
本考案はブラジャー用洗濯ケースに関し、特にカップ部分の形崩れ、レースや布などの生地の損傷及びワイヤーの変形やねじれを引き起こすことなく、ブラジャーを洗濯できるようにしたケースに関する。
【背景技術】
【０００２】
ブラジャーは女性の軟らかく敏感な乳房に直接に触れるものであることから、柔軟で繊細なレースや布などの生地で製作されている。このブラジャーをそのまま洗濯機に投入して洗濯すると、ブラジャーの乳房を覆うカップ部分に形崩れが起き、カップ部分下部周縁に挿入されたワイヤーが変形しねじれてしまうという不具合が起こるおそれがある。
【０００３】
これに対し、２つの椀状のカップ受け部を連結し、２つのカップ受け部にブラジャーのカップ部分を被せ、カップ受け部を折り重ね、その内側にブラジャーの肩紐やアンダーベルトを入れ、これをネット袋に入れて締付け、その状態で洗濯機に投入できるようにした洗濯補助具が提案されている（特許文献１）。
【０００４】
また、本件出願人は、ブラジャーのカップ部分が被せられることによりカップ部分の立体的形状を保持して形崩れを少なくする２つのカップ受け部と、２つのカップ受け部の間を相互に連結する連結片部と、連結片部に設けられ、ブラジャーのカップ部分の間の部分が引っ掛けられるフックとを備え、箪笥に保管し、旅行に携帯する際に形崩れし難くしたブラジャー用ホルダーを開発し出願するに至った（特許文献２）。
【０００５】
【特許文献１】実開昭６２−１９９０７６号公報
【特許文献２】実用新案登録第３１１４７９８号公報
【考案の開示】
【考案が解決しようとする課題】
【０００６】
特許文献１記載の洗濯用補助具はブラジャーをネット袋で締付けているので，洗濯中の激しい水流によってカップ受け部からずれることはない。しかし、カップ受け部を単に折り重ねてネット袋で締付けるようにしているので、人間の胸部の立体的形状、したがってブラジャーの立体的な形状を全く考慮しておらず、ブラジャーをカップ受け部に被せてカップ受け部を折り重ねると、ブラジャーのカップ部の下側部分には外方向への引っ張り力が加わる一方、他の部分はカップ受け部分から浮き上がってしまい、そのような状態でネット袋に入れて締付け、洗濯すると、ブラジャーの柔軟で繊細な生地が損傷を受けるおそれがあった。
【０００７】
本考案はかかる問題点に鑑み、カップ部分の形崩れ、生地の損傷及びワイヤーの変形やねじれを引き起こすことなく、ブラジャーを安心して洗濯できるようにしたブラジャー用洗濯ケースを提供することを課題とする。
【課題を解決するための手段】
【０００８】
そこで、本考案に係るブラジャー用洗濯ケースは、ブラジャーを洗濯する際にその形状を保持し得るようにしたブラジャー用洗濯ケースにおいて、ホルダーと軟質ネット袋とから構成され、上記ホルダーは、軟質でかつ弾性復元性を有する椀状をなし、該椀状部分には穴又はスリットが形成されて通気性・通水性が付与され、上記椀状部分の下部周縁にフランジ部分が形成され、上記椀状部分にブラジャーのカップ部分が被せられるとともに上記フランジ部分でカップ部分の下部周縁が受けられる一方、椀状部分の内側にブラジャーの肩紐及びアンダーベルトが収納され得る２つのカップ受け部と、該２つのカップ受け部の間を連結し、側方からの押付け力によって弾性変形することにより上記２つのカップ受け部のフランジ部分が相互に当接されるとともに上記２つのカップ受け部の間に上方になるほど大きくなる隙間が形成されるように上記２つのカップ受け部を相互に折り重ねる連結部と、上記連結部に形成され、上記ブラジャーが引っ掛けられることにより上記ブラジャーのカップ部分を上記カップ受け部に対して位置決めするフック部とから構成される一方、上記軟質ネット袋は、洗濯可能な材料で製作されたネット状をなし、上記２つのカップ受け部が相互に折り重ねられた上記ホルダーを収納し、上記カップ受け部の椀状部分の弾性復元力によって該椀状部分との間でブラジャーのカップ部分を弾性挟持することにより上記ブラジャーのカップ部分及びその下部周縁のワイヤーの立体的形状を保持するようになっていることを特徴とする。
【０００９】
本考案の主たる特徴は側方からの押付けで連結部を弾性変形させてカップ受け部を相互に折り重ならせたときに、２つのカップ受け部のフランジ部分を相互に当接させるとともに２つのカップ受け部の間に上方になるほど大きくなる隙間を形成するようにした点にある。
【００１０】
上述のように２つのカップ受け部を折り重ねると、人間の胸部の立体的外形状を２つに折り重ねた状態に類似した形状となるので、ブラジャーのカップ部分はその立体的形状を保ったままカップ受け部にフィットさせることができる。
【００１１】
また、本考案の第２の特徴はブラジャーのカップ部分をカップ受け部に被せたときにフック部にブラジャーを引っ掛けることができるようにした点にある。
【００１２】
これにより、ブラジャーのカップ部分をカップ受け部に対して位置決めすることができる結果、カップ部分の立体的形状を保ったままブラジャーを２つに折ることができ、その状態で軟質ネット袋内に収納されるので、ブラジャーを洗濯する際に、ブラジャーに過大な負荷が作用することはなく、カップ部分の形崩れ、ワイヤーの変形やねじれを引き起こすことがなく、又ブラジャーの柔軟で繊細な生地が損傷を受けることもない。
【００１３】
ホルダーのカップ受け部及び連結部は軟質でかつ弾性復元性を有する材料であればよく、例えば熱可塑性エラストマーその他の合成樹脂材料を用いることができる。フック部は引っ掛けられたブラジャーのカップ部分を保持できる材質であればよいが、同時に、カップ部分に損傷を与えないように軟質さを有する材料であるのが好ましく、例えば熱可塑性エラストマーその他の合成樹脂材料を用いることができる。
【００１４】
軟質ネット袋は折り重ねたホルダーを収納できるものであればよく、例えば織布や不織布、あるいは軟質の合樹脂材料を用いることができる。
【００１５】
また、軟質ネット袋は折り重ねたホルダーを収納して締付けることができる形状であればよく、例えばカップ受け部を折り重ねたときのホルダーの立体的形状に類似した立体的形状をなし、ファスナーによって開閉可能に構成するのがよい。
【考案を実施するための最良の形態】
【００１６】
以下、本考案を図面に示す具体例に基づいて詳細に説明する。図１ないし図８は本考案に係るブラジャーケースの好ましい実施形態を示す。本例のブラジャーケース１０はホルダー２０と軟質ネット袋３０とから構成されている。
【００１７】
ホルダー２０は軟質でかつ弾性復元性を有する合成樹脂材料、例えば熱可塑性エラストマー樹脂を用い、２つのカップ受け部２１の間を連結部２２で連結した形状に射出成形されている。カップ受け部２１はブラジャー４０のカップ部分４１が被せられる椀状部分２１Ａを有し、カップ受け部２１及び連結部２２の下部にはフランジ部分２１Ｂが形成されている。
【００１８】
また、椀状部分２１Ａ、フランジ部分２１Ｂ及び連結部２２には多数のスリット２３が形成されており、これによりホルダー２０には通気性・通水性が付与されている。
【００１９】
さらに、連結部２２にはフック部２４が一体的に形成され、フック部２４はブラジャー４０の２つのカップ部分４１の間が引っ掛けられることによりブラジャー４０のカップ部分４１をカップ受け部２１に対して位置決めするようになっている。
【００２０】
カップ受け部２１が側方から押付けられると、連結部２２が弾性変形して２つのカップ受け部２１を相互に折り重ね、そのとき図２の(a)(b)(c)に示されるように連結部２２の形状により、２つのカップ受け部２１のフランジ部分２１Ｂを相互に当接させるとともに、２つのカップ受け部２１の間に上方になるほど大きくなる隙間を形成するようになっている。
【００２１】
軟質ネット袋３０は洗濯可能な材料、例えば合成樹脂材料を用い、カップ受け部２１を折り重ねたときのホルダー２０の立体的形状に類似した立体的形状のネット状に製作され、ファスナー３１によって開閉されるようになっている。
【００２２】
例えば、ブラジャー４０を洗濯する場合、図３に示されるように、ブラジャー４０のカップ部分４１をホルダー２０のカップ受け部分２１に被せ、ブラジャー４０のカップ部分４１の下部周縁をカップ受け部２１のフランジ部分２１Ｂ上に載せ、カップ部分４１の間の部分をフック部２４に引っ掛けてブラジャー４０のカップ部分４１をカップ受け部２１に対して位置決めする。
【００２３】
次に、図４に示されるように、ブラジャー４０のアンダーベルト４２及び肩紐４３をカップ受け部２１の内側に入れ、左右のカップ受け部２１を側方から押しつけると、図５に示されるように、連結部２２が弾性変形して２つのカップ受け部２１を相互に折り重ね、図２(a)(b)(c)に示されるように、２つのカップ受け部２１のフランジ部分２１Ｂが相互に当接するとともに、２つのカップ受け部２１の間に上方になるほど大きくなる隙間が形成される。
【００２４】
折り重ねられたときのホルダー２０は人間の胸部の立体的外形状を中央で２つに折り重ねた状態に類似した立体的形状となるので、ブラジャー４０のカップ部分４１はその立体的形状を保ったままホルダー２０のカップ受け部２１にピッタリとフィットされ、フック部２４によってその状態を位置決めされ、ブラジャー４０のアンダーベルト４２及び肩紐４３は折り重ねたカップ受け部２１Ａ内に収納されることとなる。
【００２５】
このようにブラジャー４０を保持させたホルダー２０を折り重ねた姿勢を保持するように手で押さえたまま軟質ネット袋３０内に入れ、手を離すと、図７に示されるように、連結部２２の弾性復元力によって２つのカップ受け部２１が元の状態に戻ろうとし、軟質ネット袋３０とカップ受け部２１の間にブラジャー４０のカップ部分４１が弾性挟持され、これによってブラジャー４０のカップ部分４１はその立体的形状を保持され、ブラジャー４０のカップ部分４１の下部周縁内に入れられたワイヤーの形状も保持される。
【００２６】
最後に、ファスナー３１を引っ張って軟質ネット袋３０を閉じると、ブラジャー４０はその立体的形状を保ったままとなり、外力が作用してもずれることがない。これを洗濯機に投入して洗濯すると、水流に起因する外力が軟質ケース３０内のブラジャー４０に作用するが、ブラジャー４０はその立体的形状を保持されるので、カップ部分４１の形崩れ、ワイヤーの変形やねじれが発生することはない。
【００２７】
また、ブラジャー４０はホルダー２０にって人間の胸部の立体的外形状を２つに折り重ねた立体的形状に類似した形状に保持され、カップ部分４１に過大な荷重が加わることはないので、ブラジャー４０の柔軟で繊細な生地が損傷を受けることもない。
【図面の簡単な説明】
【００２８】
【図１】本考案に係るブラジャー用洗濯ケースの好ましい実施形態におけるホルダー２０と軟質ネット袋３０を示す概略斜視図である。
【図２】上記実施形態におけるホルダー２０を２つに折り重ねた状態を示す図である。
【図３】上記実施形態においてホルダー２０にブラジャー４０を被せた状態を示す斜視図である。
【図４】上記実施形態においてブラジャー４０のアンダーベルト４２及び肩紐４３をカップ受け部２１内に収納した状態を示す背面図である。
【図５】上記実施形態においてブラジャー４０を被せたホルダー２０を２つに折り重ねた状態を示す正面側からの斜視図である。
【図６】上記実施形態においてブラジャー４０を被せたホルダー２０を２つに折り重ねた状態を示す背面側からの斜視図である。
【図７】上記実施形態においてブラジャー４０を被せ２つに折り重ねたホルダー２０を軟質ネット袋３０内に収納した状態を示す斜視図である。
【図８】上記実施形態においてファスナー３１を閉じた軟質ネット袋３０を示す斜視図である。
【符号の説明】
【００２９】
１０      ブラジャー用洗濯ケース
２０      ホルダー
２１      カップ受け部
２１Ａ    椀状部分
２１Ｂ    フランジ部分
２２      連結部
２３      スリット
２４      フック部
３０      軟質ネット袋
３１      ファスナー
４０      ブラジャー
４１      カップ部分
４２      アンダーベルト
４３      肩紐
【図１】
0003133186.tif 000003
【図２】
0003133186.tif 000004
【図３】
0003133186.tif 000005
【図４】
0003133186.tif 000006
【図５】
0003133186.tif 000007
【図６】
0003133186.tif 000008
【図７】
0003133186.tif 000009
【図８】
0003133186.tif 000010